(57)【要約】【課題】  農業用フィルムがロール状であっても、ロール状のままで自動的に穿孔することが可能な農業用フィルムロール穿孔装置等を提案する。【解決手段】  ドリル保持部１３は、ドリル部１１を回転させてドリルダウンとドリルアップを繰り返しつつロール３に挿入することにより、ロール３に孔をあける。このとき、ドリルダウンは、単位深さ分、段々と徐々に深めていく。このように、中断と再開を繰り返して段々と孔を深めていくことにより、農業用フィルムがロール状であっても、フィルム同士の溶着を防止して、自動的に孔をあけることが可能になる。【選択図】図１
2018111153.tif 000002
【特許請求の範囲】
【請求項１】
農業用フィルムロールに穴をあけて穴あき農業用フィルムロールを生産する穴あき農業用フィルムロール生産方法であって、
穿孔部が、前記農業用フィルムロールにドリル部を挿入して農業用フィルムロールの表面から芯までの途中の深さまで穴をあけ、穿孔動作を中断し、穿孔動作を再開してさらに深く前記ドリル部を挿入する動作を繰り返して、前記穴あき農業用フィルムロールを生産する穴あけステップを含む穴あき農業用フィルムロール生産方法。
【請求項２】
前記穴あけステップにおいて、
前記穿孔部が、前記農業用フィルムロールにドリル部を挿入して農業用フィルムロールの表面から芯までの途中の深さまで穴をあけて、前記ドリル部を前記農業用フィルムロールから抜き出し、
噴射部が、気体及び／又は液体を噴射して抜き出された前記ドリル部を冷やすとともに切り屑を排除し、
前記穿孔部が、前記ドリル部をより深く挿入する、請求項１記載の穴あき農業用フィルムロール生産方法。
【請求項３】
前記穿孔部が、前記ドリル部を前記農業用フィルムロールの芯まで挿入すると、前記ドリル部を前記農業用フィルムロールから抜き出し、
折検知部が、前記ドリル部が折れていないかを確認する折検知ステップを含む請求項１又は２記載の穴あき農業用フィルムロール生産方法。
【請求項４】
前記穴あけステップにおいて、前記穿孔部が、
前記農業用フィルムロールが溶けやすい材質のとき、前記ドリル部を第１回転数で回転して、第１単位深さで段々に深めつつ挿入し、
前記農業用フィルムロールが溶けにくい材質のとき、前記ドリル部を、前記第１回転数よりも大きい第２回転数で回転して、及び／又は、前記第１単位深さよりも深い第２単位深さで段々に深めつつ挿入する、請求項１から３のいずれかに記載の穴あき農業用フィルムロール生産方法。
【請求項５】
計測部が、設置部に設置された前記農業用フィルムロールの径を計測する計測ステップと、
演算部が、前記計測部が計測した径を用いて、前記農業用フィルムロールの回転角度と表面距離との対応関係と、前記農業用フィルムロールの最も高い位置と、前記農業用フィルムロールの表面から芯までの長さを算出するパラメータ演算ステップを含み、
前記穴あけステップにおいて、前記穿孔部は、前記農業用フィルムロールにおいて、前記ドリル部を穿孔する位置の上方に移動させて前記農業用フィルムロールの芯まで挿入すると抜き出し、
前記設置部が、前記農業用フィルムロールの回転角度と表面距離との対応関係を利用して、表面距離を回転させて次に穿孔する位置を前記農業用フィルムロールの最も高い位置にする回転ステップを含む請求項１から４のいずれかに記載の穴あき農業用フィルムロール生産方法。
【請求項６】
農業用フィルムロールに穴をあける農業用フィルムロール穿孔装置であって、
ドリル部を前記農業用フィルムロールに挿入して抜き出し、さらに深く挿入する穿孔部を備える農業用フィルムロール穿孔装置。
【発明の詳細な説明】
【技術分野】
【０００１】
本願発明は、穴あき農業用フィルムロール生産方法及び農業用フィルムロール穿孔装置に関し、特に、農業用フィルムロールに穴をあけて穴あき農業用フィルムロールを生産する穴あき農業用フィルムロール生産方法に関する。
【背景技術】
【０００２】
特許文献１には、農業用ビニールハウスなどにおいて孔をあけた農業用フィルムを利用することが記載されている。
【先行技術文献】
【特許文献】
【０００３】
【特許文献１】特開２００１−２１１７６１号公報
【発明の概要】
【発明が解決しようとする課題】
【０００４】
しかしながら、従来、農業用フィルムに自動的に孔をあけるときには、１枚か、多くても２、３枚程度をシート状にして穿孔していた。農業用フィルムを芯に巻いたロール（以下、「農業用フィルムロール」という。）の状態では、極めて多くの枚数のフィルムが重なっている。このような状態で単純な穿孔処理をすると、フィルムが簡単に溶けて溶着し、ロール全体が使用できない状態になる。そのため、従来は、多くても数枚の農業用フィルムをシート状にして孔をあけることにより、フィルム同士の溶着を防止していた。
【０００５】
そこで、本願発明は、農業用フィルムがロール状のままで自動的に穿孔して穴あき農業用フィルムロールを生産することができる穴あき農業用フィルムロール生産方法等を提案することを目的とする。
【課題を解決するための手段】
【０００６】
本願発明の第１の観点は、農業用フィルムロールに穴をあけて穴あき農業用フィルムロールを生産する穴あき農業用フィルムロール生産方法であって、穿孔部が、前記農業用フィルムロールにドリル部を挿入して農業用フィルムロールの表面から芯までの途中の深さまで穴をあけ、穿孔動作を中断し、穿孔動作を再開してさらに深く前記ドリル部を挿入する動作を繰り返して、前記穴あき農業用フィルムロールを生産する穴あけステップを含むものである。
【０００７】
本願発明の第２の観点は、第１の観点の穴あき農業用フィルムロール生産方法であって、前記穴あけステップにおいて、前記穿孔部が、前記農業用フィルムロールにドリル部を挿入して農業用フィルムロールの表面から芯までの途中の深さまで穴をあけて、前記ドリル部を前記農業用フィルムロールから抜き出し、噴射部が、気体及び／又は液体を噴射して抜き出された前記ドリル部を冷やすとともに切り屑を排除し、前記穿孔部が、前記ドリル部をより深く挿入するものである。
【０００８】
本願発明の第３の観点は、第１又は第２の観点の穴あき農業用フィルムロール生産方法であって、前記穿孔部が、前記ドリル部を前記農業用フィルムロールの芯まで挿入すると、前記ドリル部を前記農業用フィルムロールから抜き出し、折検知部が、前記ドリル部が折れていないかを確認する折検知ステップを含むものである。
【０００９】
本願発明の第４の観点は、第１から第３のいずれかの観点の穴あき農業用フィルムロール生産方法であって、前記穴あけステップにおいて、前記穿孔部が、前記農業用フィルムロールが溶けやすい材質のとき、前記ドリル部を第１回転数で回転して、第１単位深さで段々に深めつつ挿入し、前記農業用フィルムロールが溶けにくい材質のとき、前記ドリル部を、前記第１回転数よりも大きい第２回転数で回転して、及び／又は、前記第１単位深さよりも深い第２単位深さで段々に深めつつ挿入するものである。
【００１０】
本願発明の第５の観点は、第１から第４のいずれかの観点の穴あき農業用フィルムロール生産方法であって、計測部が、設置部に設置された前記農業用フィルムロールの径を計測する計測ステップと、演算部が、前記計測部が計測した径を用いて、前記農業用フィルムロールの回転角度と表面距離との対応関係と、前記農業用フィルムロールの最も高い位置と、前記農業用フィルムロールの表面から芯までの長さを算出するパラメータ演算ステップを含み、前記穴あけステップにおいて、前記穿孔部は、前記農業用フィルムロールにおいて、前記ドリル部を穿孔する位置の上方に移動させて前記農業用フィルムロールの芯まで挿入すると抜き出し、前記設置部が、前記農業用フィルムロールの回転角度と表面距離との対応関係を利用して、表面距離を回転させて次に穿孔する位置を前記農業用フィルムロールの最も高い位置にする回転ステップを含むものである。
【００１１】
本願発明の第６の観点は、農業用フィルムロールに穴をあける農業用フィルムロール穿孔装置であって、ドリル部を前記農業用フィルムロールに挿入して抜き出し、さらに深く挿入する穿孔部を備えるものである。
【００１２】
なお、本願発明を、ドリル部の穿孔深さを複数回に分けて前記農業用フィルムロールの表面から芯まで穿孔するものとしてとらえてもよい。
【発明の効果】
【００１３】
本願発明の各観点によれば、農業用フィルムロールの表面から芯に至るまで一度に連続して穴をあけるのではなく、中断と再開を繰り返して段々と穴を深めていくことにより、農業用フィルムがロール状であっても、フィルム同士の溶着を防止して、自動的に穴をあけることが可能になる。これにより、例えば穴のあいていない農業用フィルムロールを用意しておけば、顧客の希望に応じて、穴のあいていないロールも穴のあいているロールも販売することが可能になる。
【００１４】
なお、仮にドリルを使用して農業用フィルムロールに手作業で穴を開けようとすると、非常に時間がかかり、穴あけの精度も悪かった。さらに、ドリルを真っすぐに入れることが難しく、ドリルが折れてフィルムの中に埋没してしまうなどの問題点があった。本願発明の各観点によれば、このような問題を生じることなく、農業用フィルムロールに穴をあけることができる。
【００１５】
また、本願発明では、あける穴の形状は、例えば回転ドリルを利用するならば円形になり、穴の間隔は、外側は広く、内側は狭くなる。
【００１６】
また、本願発明の第２の観点によれば、噴射部が空気などを噴射することにより、ドリル部がドリルダウン（ドリルをロールに挿入する動作）して穿孔動作を行い、中断時にドリルアップ（ドリルをロールから抜き出す動作）して農業用フィルムロールの表面よりも外にある状態にして、ドリル部を冷やすとともに切り屑を吹き飛ばすことができ、再度ドリルダウンして穿孔動作を再開したときに、ドリル部の熱での溶着や切り屑による溶着を防ぎ、高精度の穴をあけることができる。
【００１７】
さらに、自動化によりドリル部が折れる可能性がある。本願発明の第３の観点によれば、ある位置での穿孔が終わり、次の位置に穴をあけるまえに、ドリル部が折れていないことを自動的に検出することができる。
【００１８】
さらに、本願発明の第４の観点によれば、農業用フィルムの溶けやすさによってドリル部の回転数や単位深さ（ドリルダウンとドリルアップを繰り返すときに、１回のドリルダウンで深くする孔の深さ）を変えることにより、溶けやすいフィルムではフィルム同士の溶着を防ぐことを重視し、溶けにくいフィルムでは速く穿孔することを重視して、フィルムに合った穿孔処理を実現することができる。
【００１９】
さらに、本願発明の第５の観点によれば、計測部が農業用フィルムロールの径を測定することにより、穿孔処理に必要な３つのパラメータを演算して求めて、ユーザーによる入力操作を軽減することができる。３つのパラメータは、穿孔部が穿孔動作を開始するときのドリルの先端の高さ、ドリルの先端が農業用フィルムロールの芯に到達して穿孔動作を終了するタイミング、そして、設置部が農業用フィルムロールを回転する角度に応じた距離である。
【図面の簡単な説明】
【００２０】
【図１】実施例２のロール穿孔装置１の構成の一例を示すブロック図である。
【図２】図５のロール穿孔装置１の動作の一例を示すフロー図である。
【図３】図５のロール穿孔装置１による穿孔動作等を具体的に説明するための図である。
【図４】本願発明における孔の間隔について、ロールの（ａ）外側と（ｂ）内側を示す。
【図５】実施例１のロール穿孔装置１０１の（ａ）斜視図及び（ｂ）実機の一例を示す図である。
【発明を実施するための形態】
【００２１】
以下では、図面を参照して、本願発明の実施例について説明する。なお、本願発明は、これらの実施例に限定されるものではない。
【実施例】
【００２２】
図１〜図４を参照して、本願発明の実施の形態に係るロール穿孔装置１の構成及び動作の一例を説明する。図１は、ロール穿孔装置１の構成の一例を示すブロック図である。ロール穿孔装置１は、農業用フィルムロール３（本願請求項の「農業用フィルムロール」の一例）（以下、「ロール３」という。）を設置する設置部５（本願請求項の「設置部」の一例）と、ドリル部１１（本願請求項の「ドリル部」の一例）と、穿孔部１３（本願請求項の「穿孔部」の一例）と、ベース部１５と、制御部１７と、噴射部１９（本願請求項の「噴射部」の一例）と、折検知部２１（本願請求項の「折検知部」の一例）と、センサ部２３を備える。制御部１７は、計測部３１（本願請求項の「計測部」の一例）と、演算部３３（本願請求項の「演算部」の一例）と、入力部３５と、ベース移動制御部４１と、ドリル回転制御部４３と、ドリル移動制御部４５と、ロール回転制御部４７を備える。ロール３は、農業用フィルムが芯に巻かれたものである。ドリル部１１によりロール３に穴があけられたものを、「穴あき農業用フィルムロール」という。
【００２３】
図２は、図１のロール穿孔装置１の動作の一例を示すフロー図である。図２を参照して、図１のロール穿孔装置１の各部の動作の一例を説明する。計測部３１は、ロール３の径を超音波センサで計測する（ステップＳＴ１）。演算部３３は、計測した径を使って、３つのパラメータを求める（ステップＳＴ２）。
【００２４】
１つ目は、ロール３を回転させる距離と回転する角度の関係である。例えば、ロール３の断面の外周の半径をｒとすると、ロール３の外周は２πｒである。そのため、例えばロール３を中心軸の周りに４５°回転させるのであれば、ロール３の中心軸を維持したまま外周をπｒ／４の長さだけ回転させればよい（ステップＳＴ１７参照）。
【００２５】
２つ目は、ロール３の表面の最も高い場所とロール設置部５との距離である。これにより、穿孔動作を開始するときのドリルの先端が、穿孔位置のほぼ上にあるような状態にすることができる（ステップＳＴ６参照）。
【００２６】
３つ目は、ロール３の表面から芯までの距離（以下、「ロール巻き深さ」という。）である。規格におけるロールの径とロール巻き深さの対応関係を予め用意しておくことにより、ロール３の径がわかればロール巻き深さもわかる。これにより、一つの位置での穿孔動作の終了を判断することができる（ステップＳＴ１２参照）。
【００２７】
さらに、２つ目のパラメータより、ドリルダウンの距離を穴の深さとすることができ、３つ目のパラメータから、ドリルダウンの距離がロール巻き深さよりも大きければ、芯に到達していると判断することができる。そのため、単に、ドリル部１１をロール３に挿入した距離（ドリルダウンの距離）を測定していればよい。芯に到達したか否かは、例えばドリルの負荷を計測して変化したタイミングでフィルムロールに孔を開け始めたことを検出し、さらに負荷の変更から芯に至ったことを判定するような複雑な判断をする必要はない。
【００２８】
利用者は、入力部３５を操作して、ロール３の農業用フィルムの材質と、ロールの回転方向などを入力する（ステップＳＴ３）。入力部２５は、例えばタッチパネルであり、ユーザーは、表示された設定場面を操作して設定する。設定画面は、例えば加工条件を設定するためのものであれば、右側には数値を入力するための数値入力テンキーが表示され、左側には、上から、材質、開始距離、ピッチ、加工数、回転方法を表示する。
【００２９】
材質は、加工材質を入力するものであり、農ビ（農業用塩化ビニール）とＰＯ（オレフィン）を選択することができる。農ビは溶けやすく、ＰＯは溶けにくい。そのため、農ビはゆっくりと加工する必要があり、ＰＯは速く加工することができる。例えば、農ビであれば、回転数を落とし、単位深さ（徐々に段々と深く穿孔するときに、繰り返しごとに増加させる深さ）は小さくする。他方、ＰＯであれば、回転数を上げ、単位深さは大きくすることができる。なお、回転数と単位深さは、一方が異なり、他方が同じであってもよい。例えば、直径2mmの孔をあけるとき、単位深さを1.5mmとし、回転数を、農ビは1500回転／分、ＰＯは3000回転／分などにすることができる。このように、材質によって具体的な穿孔動作を異ならせることができる。
【００３０】
開始距離は、加工を開始する位置である。ユーザーは、テンキーを操作して入力する。ピッチは、加工間の距離である。ユーザーは、100mmと120mmのいずれかを選択する。加工数は、加工点数であり、ユーザーは、テンキーを操作して入力する。
【００３１】
回転方向は、ロールの回転方向である。時計回りか反時計回りのいずれかを選択する。ロールは、締まる方向に回す必要がある。反対方向に回すと、ロールが緩み、孔の形成が難しくなるためである。
【００３２】
制御部２７は、農業用フィルムの材質からドリルの回転数と単位深さを決定し、ユーザーの入力に従いロール３を回転する向きを決定する（ステップＳＴ４）。
【００３３】
制御部２７は、最初の穿孔位置を決定する（ステップＳＴ５）。これは、例えば入力された開始距離の情報などにより決定することができる。ベース移動制御部４１は、ベース部１５を移動させて、ドリル部１１の先端を、最初の穿孔位置の上方に移動させる（ステップＳＴ６）。
【００３４】
ドリル回転制御部４３は、ステップＳＴ４で決定した回転数でドリル部１１を回転する（ステップＳＴ７）。噴射部１９は、例えばブロアーを設け、少なくともドリルアップしたときのドリル部１１を冷やすことによってフィルムが溶けることを防ぎ、かつ、穴の切り屑を飛ばすことができる位置に、圧縮空気を噴射する。なお、ブロアーは、吹き出し口を自在ホースによるものとし、容易に圧縮空気の当たる場所を変更することができるようにしてもよい。なお、噴射部１９は、圧縮空気を噴射するものに限定されず、気体及び／又は液体を噴射するものであってもよい。
【００３５】
制御部１７は、ドリル深さを０にする（ステップＳＴ８）。ドリル深さは、ドリル部１１が挿入される距離（穴の深さ）を示す。既述のように、これは、ドリルダウンの距離とほとんど同じと考えられる。（仮に所定距離だけ上方にあるようにするのであれば、ドリル深さの初期値を、所定距離を引いたマイナスの値にし、プラスの範囲で段々と深くする制御をするなどすればよい。）
【００３６】
制御部１７は、ドリル深さを単位深さ増加させる（ステップＳＴ９）。ドリル移動制御部４５は、ドリル深さの距離をドリルダウンすることにより孔の深さを単位深さ増加させる（ステップＳＴ１０）。そして、上昇させて抜き出し、噴射部１９の圧縮空気の噴射によって切り屑を吹き飛ばすとともに、ドリル部１１の刃を冷やす（ステップＳＴ１１）。
【００３７】
制御部１７は、ドリル深さがロール巻き深さよりも深いか否かを判断する（ステップＳＴ１２）。浅ければ、ステップＳＴ９に戻り、単位深さごとに徐々に段々と深くしつつ、ドリルダウンとドリルアップを繰り返す。ドリル深さがロール巻き深さ以上であるならば、ドリルの先端が芯に到達しており、穿孔動作を終了する。そして、ドリル回転制御部４３は、ドリルの回転を停止し、ドリル移動制御部４５は、さらにドリルアップさせる（ステップＳＴ１３）。折検知部２１は、センサ部２３をドリル部１１へ向けて移動させる。センサ部２３は、二股フォークのようになっており、このフォークがドリル部１１を挟むように移動し、レーザー（光軸センサー）によってドリル部１１が検知できるか否かを判断する（ステップＳＴ１４）。検知できるならば、ドリル部１１は折れておらず、ステップＳＴ１６に進む。検知できないならば、ドリル部１１が折れているとして、制御部１７は、ロール穿孔装置１の動作を停止し、ドリルの交換、及び、ロール３から折れたドリルの回収を促す（ステップＳＴ１５）。ドリルの交換等がなされたならば、ステップＳＴ１６に進む。
【００３８】
ステップＳＴ１６において、全部の位置に穴があけられたか否かを判断する（ステップＳＴ１６）。あけたならば、処理を終了する。あけていない位置があるならば、制御部１７は、次の穿孔位置を決定する。そして、ロール回転制御部４７は、設置部５によりロール３を回転させて次の穿孔位置を上に向ける。また、ベース部１５が同じ位置でロール３を回転させたところに穴をあけ終わったのであれば、ベース移動制御部４１は、ベース部１５を次の位置へと移動させる（ステップＳＴ１７）。そして、ステップＳＴ７に戻り、穿孔動作を開始する。
【００３９】
図３は、図１のロール穿孔装置１による穿孔動作等を具体的に説明するための図である。
【００４０】
（ａ）は、穿孔を開始したときを示す図であり、ドリル部１１の先端がロール３における穿孔位置の付近にある。（ｂ）は、穿孔作業時のドリルダウンをしたときを示す図であり、ドリルの先端は、単位深さだけ入り、ロール３の芯には到達していない。（ｃ）は、穿孔作業時のドリルアップをしたときを示す図であり、（ａ）と同じ位置まで戻っている。噴射部１９は、圧縮空気を噴射し、ドリル部１１を冷やし、かつ、孔の切り屑を飛ばす。ドリルダウンとドリルアップを繰り返して、単位深さごとに徐々に段々と孔の深さを増すことにより、フィルムが溶けるのを防ぐことができる。
【００４１】
（ｄ）は、ドリル部１１の先端がロール３の芯に到達したときを示す。これにより、ロール３において、所定の穿孔位置に孔をあけることができている。
【００４２】
（ｅ）は、（ｄ）の後にドリルアップをし、（ａ）と同じ位置まで上昇して、さらに上昇したところを示す。（ａ）や（ｃ）の位置よりも上昇させることにより、ドリル部１１を折ることなく、ロール３の回転やベース部１５の移動ができるようにしている。
【００４３】
（ｆ）は、移動を開始する前に、折検知部２１は、ロール３からドリル部１１が十分に高く上がっていることを利用して、ドリル部１１の折れ検知をする。折検知部２１は、二股フォークのようなセンサ部２３を移動させ、フォークでドリル部１１を挟み、レーザーによってドリル部１１が検知できれば、ドリル部１１が折れていないと判断する。検知できなければ、ドリル部１１が折れていると判断する。
【００４４】
（ｇ）は、ドリル部１１の先端を次の穿孔位置へ移動させるため、ロール３を回転させたり、ベース部１５を移動させたりすることを示す。
【００４５】
図４は、ロールの（ａ）外側と（ｂ）内側での孔の間隔を示す。本願発明では、ロール状のまま穿孔するため、ロール３を広げたときの短手方向の孔の間隔は一定であり、図４では120mmである。長手方向には間隔が異なり、もとのロールの太さにもよるが、図４では、ロールの外側では170mm、ロールの内側では65mmである。
【００４６】
図５を参照して、本願発明の実施の形態に係るロール穿孔装置１０１の具体的な構成を説明する。
【００４７】
図５（ａ）は、ロール穿孔装置１０１の斜視図である。図５（ａ）において、ロール穿孔装置１０１は、可動ベース部１０３と、ドリルユニット部１０５と、横送り駆動部１０７を備える。
【００４８】
農業用フィルムロール１０９は、農業用フィルムが芯に巻かれたものである。農業用フィルムロール１０９の一方端は、ストッパー部１０８により止められている。これにより、農業用フィルムロール１０９の長手方向の位置は、ストッパー部１０８からの距離によって特定することができる。
【００４９】
駆動部１１１は、農業用フィルムロール１０９を回転させる。昇降部１１２は、ペダルの操作に応じて農業用フィルムロールを昇降する。従動部１１３は、駆動部１１１及び昇降部１１２の動作に従って動作する。昇降部１１２は、初め、従動部１１３よりも上にあり、重い農業用フィルムロールを容易に横にスライドしてストッパー部１０８まで移動させることができる。作業者がペダルを踏むと、昇降部１１２が下がり、横滑りをしないようにする。押えローラ１１５は、農業用フィルムロール１０９を上から押さえる。
【００５０】
横送り駆動部１０７により、可動ベース部１０３は農業用フィルムロール１０９の長手方向に移動する。既述のように、ストッパー部１０８からの距離で、位置を特定することができる。ドリルユニット部１０５は、可動ベース部１０３を基準に上下動することにより、農業用フィルムロール１０９にドリルを挿入して穿孔する。
【００５１】
図５（ｂ）は、実機を撮影したものである。図５（ｂ）の左側に、制御盤が撮影されている。制御盤では、タッチパネルと、運転準備ボタン、スタートボタン、停止ボタン、非常停止ボタンなどが設けられている。
【符号の説明】
【００５２】
１  ロール穿孔装置、３  ロール、５  ロール設置部、１１  ドリル部、１３  ドリル保持部、１５  ベース部、１７  制御部、１９  噴射部、２１  折検知部、２３  センサ部、３１  計測部、３３  演算部、３５  入力部、４１  ベース移動制御部、４３  ドリル回転制御部、４５  ドリル移動制御部、４７  ロール回転制御部、１０１  ロール穿孔装置、１０３  可動ベース部、１０５  ドリルユニット部、１０７  横送り駆動部、１０８  ストッパー部、１０９  農業用フィルムロール、１１１  駆動部、１１２  昇降部、１１３  従動部、１１５  押えローラ
【図１】
2018111153.tif 000003
【図２】
2018111153.tif 000004
【図３】
2018111153.tif 000005
【図４】
2018111153.tif 000006
【図５】
2018111153.tif 000007